(57)【要約】【課題】ディスクドライブ用アレイ枠の提供。【解決手段】複数のディスクドライブを収容することができ、これらのディスクドライブがそれぞれ端子ユニットを有し、枠にモジュール化に取付けることができ、ケースと、バックプレートと、を含むディスクドライブ用アレイ枠において、前記ケースは、前端に前端開口が開設されており、後端に後端開口が開設されており、その内部には複数のディスクドライブが排列されており、前記バックプレートには、コネクタが複数に設けられており、前記バックプレートは結合手段を介して前記後端開口に結合されており、これらの前記コネクタがディスクドライブ収容チェンバーにそれぞれ対応している。【選択図】図２
0003151897.tif 000002
【実用新案登録請求の範囲】
【請求項１】
複数のディスクドライブを収容することができ、これらのディスクドライブがそれぞれ端子ユニットを有し、枠にモジュール化に取付けることができ、ケースと、バックプレートと、を含むディスクドライブ用アレイ枠において、
前記ケースは、前端に前端開口が開設されており、後端に後端開口が開設されており、その内部には複数のディスクドライブが排列されており、
前記バックプレートには、コネクタが複数に設けられており、前記バックプレートは結合手段を介して前記後端開口に結合されており、これらの前記コネクタがディスクドライブ収容チェンバーにそれぞれ対応しており、
これらの前記ディスクドライブ収容チェンバーに、これらの前記ディスクドライブをそれぞれ組付けたと、前記ディスクドライブの端子ユニットが前記バックプレートのコネクタとそれぞれ連接するようになることを特徴とするディスクドライブ用アレイ枠。
【請求項２】
請求項１記載のディスクドライブ用アレイ枠において、前記ケースの内部にある前記各ディスクドライブ収容チェンバーには、前記ケースの側面にレールがそれぞれ設けられており、前記ディスクドライブが前記レールに応じて干渉構造がそれぞれ設けられており、前記レールに前記干渉構造を合せると、前記ディスクドライブが前記ディスクドライブ収容チェンバーに組付けられることを特徴とするディスクドライブ用アレイ枠。
【請求項３】
請求項１記載のディスクドライブ用アレイ枠において、前記コネクタは、更に、少なくとも、一つの信号端子と、一つの電源端子と、を含み、前記信号端子が前記ディスクドライブの端子ユニットの一部の端子と通信的に連接しており、前記電源端子が前記ディスクドライブの端子ユニットの上記一部以外の端子と電気的に連接していることを特徴とするディスクドライブ用アレイ枠。
【請求項４】
請求項１記載のディスクドライブ用アレイ枠において、前記結合手段は、更に、係止構造と、ロック構造と、を含み、前記係止構造の一部が前記バックプレートと前記ケースとにそれぞれ設けられており、前記ロック構造の一部が前記バックプレートと前記ケースとにそれぞれ設けられていることを特徴とするディスクドライブ用アレイ枠。
【請求項５】
請求項１記載のディスクドライブ用アレイ枠において、更に、仕切板が設けられており、前記仕切板は、前記ケースの内部に設けられており、前記ケースに固定されており、前記仕切板の厚さにより、前記ケースの内部の空間がこれらの前記ディスクドライブをそれぞれ収容可能のディスクドライブ収容チェンバーになることを特徴とするディスクドライブ用アレイ枠。
【請求項６】
請求項５記載のディスクドライブ用アレイ枠において、前記ケースの内部にある前記各ディスクドライブ収容チェンバーには、前記ケースと前記仕切板との側面にレールがそれぞれ設けられており、前記ディスクドライブが前記レールに応じて干渉構造がそれぞれ設けられており、前記レールに前記干渉構造を合せると、前記ディスクドライブが前記ディスクドライブ収容チェンバーに組付けられることを特徴とするディスクドライブ用アレイ枠。
【請求項７】
請求項１記載のディスクドライブ用アレイ枠において、前記枠には、前記ディスクドライブアレイを収容するための収容空間が設けられていることを特徴とするディスクドライブ用アレイ枠。
【請求項８】
請求項１記載のディスクドライブ用アレイ枠において、前記枠は、更に、制御ユニットと、電源供給器と、を含み、これらの前記コネクタは、前記ケース内にある端子ユニットとそれぞれ連接しており、且つ外部にある、前記制御ユニットと、電源供給器と、に連接されていることを特徴とするディスクドライブ用アレイ枠。
【考案の詳細な説明】
【技術分野】
【０００１】
本考案は、ディスクドライブ用アレイ枠に関し、特に、枠にモジュール化に取付けることができるディスクドライブ用アレイ枠に関するものである。
【背景技術】
【０００２】
科学技術の進展に従って、コンピューターが広汎に使用されるようになり、コンピューターの重要な機能の一つは情報（例えば文字ファイルや監視システムによる映像ファイルなど）のアクセスであり、その原因で、大容量に記憶可能のディスクドライブが必要になる。
【０００３】
しかし、市販しているディスクドライブ用アレイ枠は、固定式であり、対応可能のディスクドライブの寸法が一定であり、相違する寸法のディスクドライブを交換する場合には、ディスクドライブ用アレイ枠を交換しなければならない問題があった。
【考案の概要】
【考案が解決しようとする課題】
【０００４】
本考案の目的は、ディスクドライブの寸法の変更に対応して自由に調整可能であり、枠にモジュール化に取付けることができるディスクドライブ用アレイ枠を提供することにある。
【課題を解決するための手段】
【０００５】
本考案のディスクドライブ用アレイ枠によると、複数のディスクドライブを収容することができ、これらのディスクドライブがそれぞれ端子ユニットを有し、枠にモジュール化に取付けることができ、ケースと、バックプレートと、を含むディスクドライブ用アレイ枠において、
前記ケースは、前端に前端開口が開設されており、後端に後端開口が開設されており、その内部には複数のディスクドライブが排列されており、
前記バックプレートには、コネクタが複数に設けられており、前記バックプレートは結合手段を介して前記後端開口に結合されており、これらの前記コネクタがディスクドライブ収容チェンバーにそれぞれ対応しており、
これらの前記ディスクドライブ収容チェンバーに、これらの前記ディスクドライブをそれぞれ組付けたと、前記ディスクドライブの端子ユニットが前記バックプレートのコネクタとそれぞれ連接するようになることを特徴とするディスクドライブ用アレイ枠である。
本考案のディスクドライブ用アレイ枠によると、前記ケースの内部にある前記各ディスクドライブ収容チェンバーには、前記ケースの側面にレールがそれぞれ設けられており、前記ディスクドライブが前記レールに応じて干渉構造がそれぞれ設けられており、前記レールに前記干渉構造を合せると、前記ディスクドライブが前記ディスクドライブ収容チェンバーに組付けられる。
本考案のディスクドライブ用アレイ枠によると、前記コネクタは、更に、少なくとも、一つの信号端子と、一つの電源端子と、を含み、前記信号端子が前記ディスクドライブの端子ユニットの一部の端子と通信的に連接しており、前記電源端子が前記ディスクドライブの端子ユニットの上記一部以外の端子と電気的に連接している。
本考案のディスクドライブ用アレイ枠によると、前記結合手段は、更に、係止構造と、ロック構造と、を含み、前記係止構造の一部が前記バックプレートと前記ケースとにそれぞれ設けられており、前記ロック構造の一部が前記バックプレートと前記ケースとにそれぞれ設けられている。
本考案のディスクドライブ用アレイ枠によると、更に、仕切板が設けられており、前記仕切板は、前記ケースの内部に設けられており、前記ケースに固定されており、前記仕切板の厚さにより、前記ケースの内部の空間がこれらの前記ディスクドライブをそれぞれ収容可能のディスクドライブ収容チェンバーになる。
本考案のディスクドライブ用アレイ枠によると、前記ケースの内部にある前記各ディスクドライブ収容チェンバーには、前記ケースと前記仕切板との側面にレールがそれぞれ設けられており、前記ディスクドライブが前記レールに応じて干渉構造がそれぞれ設けられており、前記レールに前記干渉構造を合せると、前記ディスクドライブが前記ディスクドライブ収容チェンバーに組付けられる。
本考案のディスクドライブ用アレイ枠によると、前記枠には、前記ディスクドライブアレイを収容するための収容空間が設けられている。
本考案のディスクドライブ用アレイ枠によると、前記枠は、更に、制御ユニットと、電源供給器と、を含み、これらの前記コネクタは、前記ケース内にある端子ユニットとそれぞれ連接しており、且つ外部にある、前記制御ユニットと、電源供給器と、に連接されている。
【考案の効果】
【０００６】
本考案のディスクドライブ用アレイ枠によれば、ディスクドライブの寸法の変更に対応して自由に調整可能であり、枠にモジュール化に取付けることができるという効果を有する。
【図面の簡単な説明】
【０００７】
【図１】枠にモジュール化に取付可能の本考案に係るディスクドライブ用アレイ枠の概略図である。
【図２】本考案に係るディスクドライブ用アレイ枠の概略図である。
【図３】本考案に係るディスクドライブ用アレイ枠のバックプレートの正面図である。
【図４】本考案に係るディスクドライブ用アレイ枠のケースの背面図である。
【図５】本考案に係るディスクドライブ用アレイ枠の結合手段の概略図である。
【考案を実施するための形態】
【０００８】
まず、図１を参照する。本考案に係るディスクドライブ用アレイ枠は、枠１にモジュール化に取付けることができる。
枠１は、収容空間１１と、電源供給器１２と、制御ユニット１３と、を含む。ディスクドライブ用アレイ枠２は、外形の寸法が一定であり、相違する寸法のディスクドライブを収容することができ、その収容方式は図２を参照する。
収容空間１１はディスクドライブ用アレイ枠２を収容することができ、電源供給器１２は、複数の出力端１２１と、複数の入力端１２２と、を含み、入力端１２２が枠１からの電源を受け入れ、出力端１２１がそれぞれ各ディスクドライブと電気的に連接しており、制御ユニット１３は、複数の連接端１３１を含み、連接端１３１を介してディスクドライブと電気的に連接しており、複数のディスクドライブ情報のアクセスを制御する。
【０００９】
次に、図２を参照する。ディスクドライブ用アレイ枠２は、ケース２１と、バックプレート２２と、仕切り板２３と、を含む。
ケース２１は、前端に前端開口２１１が開設されており、後端に後端開口２１２が開設されており、且つ複数のディスクドライブ収容チェンバー２１３を有し、これらのディスクドライブ収容チェンバー２１３の対向面にはレール２１３１がそれぞれ設けられている。
バックプレート２２は、後端開口２１２に固定されており、複数のコネクタ２２１が設けられており、これらのコネクタ２２１は、ケース２１内にある端子ユニット３０１とそれぞれ連接しており、且つ外部にある、制御ユニット１３と、電源供給器１２と、に連接されている。
仕切板２３は、ケース２１の内部に設けられており、ケース２１の上下カバーの内面に固定されており、ケース２１の内部を表示するために、上カバーが示されず、左右にある空間の幅を調整するために、仕切板２３の厚さが調整可能であり、換言すると、左右にあるディスクドライブ収容チェンバー２１３の幅が相違する寸法のディスクドライブに対応して調整することができ、これにより、相違する寸法のディスクドライブを収容することができる。組付けた後に、ディスクドライブ３０は、前端開口２１１からケース２１のディスクドライブ収容チェンバー２１３に入れることができる。
【００１０】
次に、図２及び図３を参照しながらバックプレート２２を説明する。バックプレート２２は、複数のコネクタ２２１を有し、コネクタ２２１がこれらのディスクドライブ収容チェンバー２１３に対応しており、ケース２１のディスクドライブ収容チェンバー２１３にディスクドライブ３０を入れたと、ディスクドライブ３０の端子ユニット３０１がコネクタ２２１と直接に連接している。コネクタ２２１は、信号端子２２１Ａと、電源端子２２１Ｂと、に分けられ、信号端子２２１Ａが制御ユニットの連接端１３１と通信的に連接しており、電源端子２２１Ｂが電源供給器の出力端１２１と電気的に連接している。更に、信号端子２２１Ａがディスクドライブ３０の端子ユニット３０１の一部の端子と通信的に連接しており、電源端子２２１Ｂがディスクドライブ３０の端子ユニット３０１の上記一部以外の端子と電気的に連接している。
【００１１】
次に、図３及び図４を参照する。バックプレート２２とケース２１とは、結合手段によって連結することができ、このとき、結合手段の一部がケース２１の後端開口２１２のエッジにあり、そして結合手段の一部がバックプレート２２にあり、後端開口２１２にバックプレート２２を合せると、両者が連結になる。
相違する寸法のディスクドライブ３０を交換する場合には、コネクタ２２１の排列位置が相違するバックプレート２２を交換するだけで、枠１とディスクドライブ用アレイ枠２とを交換せずに、相違する寸法のディスクドライブ３０を交換することができる。
【００１２】
また、図３、図４及び図５を参照する。結合手段２２２は、係止構造２２２１と、ロック構造２２２２と、を含み、係止構造２２２１の一部がバックプレート２２とケース２１とにそれぞれ設けられており、ロック構造２２２２の一部がバックプレート２２とケース２１とにそれぞれ設けられており、係止構造２２２１の分けて設けられた部分を相互に結合させ、ロック構造２２２２の分けて設けられた部分を相互に結合させ、これにより、ケース２１とバックプレート２２とを連結することができる。
【００１３】
また、係止構造２２２１は機械的な組合であり、係止構造２２２１の一つの実施例は、ケースの後端開口２１２には干渉リブ２２２１１が設けられており、バックプレート２２には干渉穴２２２１２が開設されており、干渉穴２２２１２に干渉リブ２２２１１を係合することができ、もちろん、ケースの後端開口２１２に干渉穴を設けバックプレート２２に干渉リブを設けてもよい。ロック構造２２２２は機械的な組合であり、ロック構造２２２２の一つの実施例は、バックプレート２２にはねじ穴２２２２１ａが開設されており、ケース２１にもねじ穴２２２２１ｂが開設されており、ねじ穴２２２２１ａとねじ穴２２２２１ｂとにネジ２２２２２を締め付けると、バックプレート２２とケース２１とを連結することができる。ロック構造２２２２により強固に結合することができ、係止構造２２２１により組付・分解が便利になり、このように、モジュール化の生産の要求に満足することができる。
【００１４】
図２を参照する。仕切板２３は、レール２１３１の対向面にはレール２１３１ａが設けられており、且つ仕切板２３の厚さが調整可能であり、これにより、ディスクドライブ収容チェンバー２１３の大きさを変更することができる。
ディスクドライブ３０には、レール２１３１に応じて干渉構造３０２がそれぞれ設けられており、ディスクドライブ収容チェンバー２１３にディスクドライブ３０を入れると、レール２１３１と干渉構造３０２と合せにより、ディスクドライブ収容チェンバー２１３へのディスクドライブ３０の組付・分解が便利になり、そしてディスクドライブ収容チェンバー２１３にディスクドライブ３０を組付けたと、端子ユニット３０１がバックプレート２２に設けられたコネクタ２２１と直接に連接している。
ディスクドライブ収容チェンバー２１３に、相違する寸法のディスクドライブ３０を入れたい場合には、仕切板２３の厚さを調整しバックプレート２２を適当に交換するだけで、ディスクドライブ収容チェンバー２１３に、相違する寸法のディスクドライブ３０を入れることができ、更に、仕切板２３によってディスクドライブ収容チェンバー２１３の幅を調整すると、枠１を交換せずに、更に多くの相違する寸法のディスクドライブ３０を入れることができる。
【符号の説明】
【００１５】
１  枠
２  ディスクドライブ用アレイ枠
１１  収容空間
１２  電源供給器
１３  制御ユニット
２１  ケース
２２  バックプレート
２３  仕切板
３０  ディスクドライブ
１２１    出力端
１２２    入力端
１３１    連接端
２１１    前端開口
２１２    後端開口
２１３    ディスクドライブ収容チェンバー
２２１    コネクタ
２２１Ａ  信号端子
２２１Ｂ  電源端子
２２２    結合手段
３０１    端子ユニット
３０２    干渉構造
２１３１、２１３１ａ  レール
２２２１  係止構造
２２２２  ロック構造
２２２１１  干渉リブ
２２２１２  干渉穴
２２２２１ａ、２２２２１ｂ  ねじ穴
２２２２２  ネジ
【図１】
0003151897.tif 000003
【図２】
0003151897.tif 000004
【図３】
0003151897.tif 000005
【図４】
0003151897.tif 000006
【図５】
0003151897.tif 000007